(57)【要約】      （修正有）【課題】小型で優れた力率を持つ照明装置を提供する。【解決手段】基板１００、基板に配列された、少なくとも一つの発光素子１０２を含む発光部１０４及び、基板に配置されて、発光部に駆動電源を供給する電源供給部１０６を含む。大きいキャパシターとインダクターを使わず、少ない数の素子で構成されるため、駆動部のサイズを小型、軽量化できる。また、キャパシターやインダクターを使わないため、発光素子で提供される電流に位相差が発生しない。その結果、力率が改善され、照明装置の効率が向上する。【選択図】図２
0003188404.tif 000002
【実用新案登録請求の範囲】
【請求項１】
基板、前記基板に配置される少なくとも一つの発光素子を含む発光部、前記基板に配置されて、前記発光部に駆動電源を供給する電源供給部と
を含むことを特徴とする照明装置。
【請求項２】
請求項１の照明装置において、前記電源供給部で交流電源を供給するために電源線を更に含むことを特徴とする照明装置。
【請求項３】
請求項１の照明装置において、前記基板は円盤状、または多角形状であることを特徴とする照明装置。
【請求項４】
請求項１の照明装置において、前記基板は円盤状で、前記電源供給部は円盤状の基板の中央部に配置されて、少なくとも一つの前記発光素子は前記電源供給部が配置された前記基板の中央部を除いた他の部分に配され、少なくとも一部が電源供給部と接して相互直列に接続されることを特徴とする照明装置。
【請求項５】
請求項１の照明装置において、前記基板は四角形状で、前記電源供給部は四角形状の基板の中央部、または、一側端つに配置されて、少なくとも一つの前記発光素子は前記電源供給部が配置された前記基板の部分を除いた他の部分に配され、少なくとも一部が電源供給部と接して相互直列に接続されることを特徴とする照明装置。
【請求項６】
請求項１の照明装置において、前記基板は三角形状で、前記電源供給部は三角形状の基板の一辺側部分に配置され、少なくとも一つの発光素子は前記電源供給部が配置された前記基板の部分を除いた他の部分に配され、、少なくとも一部が電源供給部と接して相互直列に接続されることを特徴とする照明装置。
【請求項７】
請求項１の照明装置において、前記基板、前記発光部、及び、前記電源供給部を収容するケース、該ケースに被着される保護蓋、交流電源を供給するソケット、前記ソケットと電源供給部を繋ぐエクステンションケーブルを更に含むことを特徴とする照明装置。
【請求項８】
請求項１の照明装置において、入力された第１電流を整流電流に変化させる駆動回路部を含み、前記駆動回路部から出力される第２電流は発光部に供給され、第２電流は第１電流より大きい電流であることを特徴とする照明装置。
【請求項９】
請求項８の照明装置において、前記照明装置はブリッジ回路を構成する複数のダイオードを含み、第１電流を駆動回路部に供給する整流回路部を更に含むことを特徴とする照明装置。
【請求項１０】
請求項８の照明装置において、前記駆動回路部は前記第１電流を整流電流に変化させる整流電流部、前記整流電流部に繋がれて第１電流を第２電流に増幅させる駆動回路動作制御部を含むことを特徴とする照明装置。
【請求項１１】
請求項１０の照明装置において、前記整流電流部は少なくとも一つの整流電流ダイオードを含み、前記動作制御部は前記整流電流ダイオードと繋がれたトランジスター、及び、該トランジスターと繋がれて増幅のため使われる複数の抵抗を含むことを特徴とする照明装置。
【請求項１２】
請求項１１の照明装置において、前記整流電流ダイオードはトランジスターのベース、及びコレクターに繋がれ、前記抵抗の中の一つは前記トランジスターのエミッタに繋がれ、他の抵抗は前記トランジスタのベース及び整流電流ダイオードと繋がれることを特徴とする照明装置。
【請求項１３】
請求項１の照明装置において、交流電源を直流電源に変換させて前記発光部に供給する第１整流回路部、前記発光部を通じて流れる電流が整流電流になるように制御する駆動回路部を含み、前記第１整流回路部から出力された電流は発光部、及び、駆動回路部を順次、通過して流れることを特徴とする照明装置。
【請求項１４】
請求項１３の照明装置において、前記駆動回路部は前記発光部を通じて流れる電流が整流電流になるように制御する整流電流部、及び前記駆動回路部の動作を制御する駆動回路動作制御部を含み、前記整流回路部はブリッジ回路で構成され、動作制御部は整流電流部と繋がれたトランジスターを含むことを特徴とする照明装置。
【請求項１５】
請求項１４の照明装置において、前記整流電流部は少なくとも一つの整流電流ダイオードを含み、前記整流電流ダイオードの陰極段はトランジスターのベースに繋がれることを特徴とする照明装置。
【請求項１６】
請求項１３の照明装置において、前記駆動回路部と電気的に繋がれた第２整流回路部を更に含み、交流電源部の一端子は第１整流回路部から繋がれ、交流電源部の他の端子は第２整流回路部に繋がれ、第１整流回路部と第２整流回路部はブリッジ回路を構成することを特徴とする照明装置。
【請求項１７】
基板、該基板に配置される少なくとも一つの発光素子を含む発光部、前記基板に配置されて前記発光部に駆動電源を供給する電源供給部、前記基板と前記発光部及び前記電源供給部を収容するケース、該ケースに被着される保護蓋を含むことを特徴とする照明装置。
【請求項１８】
請求項１７の照明装置において、交流電源を供給されるソケット、該ソケットと電源供給部を繋ぐエクステンションケーブルを更に含むことを特徴とする照明装置。
【考案の詳細な説明】
【技術分野】
【０００１】
本考案は小さいサイズでありながら、優れた力率を持つ照明装置に関するものである。
【背景技術】
【０００２】
一般的に照明灯として、従来は蛍光灯、及び、白熱等が主に使用されていたが、最近では環境問題やCO2排出規制の問題から、ＬＥＤ(Light Emitting Diodes, LEDアレー)に代替されてきている。しかし、従来のLED照明灯の構成は、複数の発光ダイオードアレーと、これを駆動させる安定器を基本として構成されている。安定器には、磁器式と電子式とがあり、電子式安定器の、インバーター方式ではPWM(Pulse Width Modulation)制御方法を通じてLEDを駆動させる。つまりPWM駆動方式を使用するため、整流回路、ノイズフィルタ(noise filter)及びPWM 制御部を含んでいる。このノイズフィルタは PWM駆動によって発生する雑音を除去する。また、PWM制御部は多数のキャパシター、群及び、インダクター群を使用することでPWM駆動を制御する。例えば、特許文献１に記載されている。
【先行技術文献】
【特許文献】
【０００３】
【特許文献１】特開２０１１−２２９３９１公報
【考案の概要】
【考案が解決しようとする課題】
【０００４】
本考案の第１目的は発光部と駆動部（電源供給部）が一体化で構成される照明装置を提供するものである。
本考案の第２目的は少ない数の内部素子群で構成された、特にキャパシターとインダクターを全く含まない電源供給部を使う照明装置を提供するものである。
本考案の第３目的は、消費電力を減らして力率を改善させる照明装置、及びこれに含まれるソケットを提供するものである。
本考案の第４目的は交流入力電源の２倍数の周期で限界電圧以上で電流を通電させて発光素子の明るさを極対化する照明装置を提供するものである。
【０００５】
このような安定器を含むLED照明灯は一体型であり、LED照明灯の一部の素子の寿命が訪れた場合、たとえば、安定器の寿命が訪れた場合、そのLED
照明灯自体を廃棄して新しいLED照明灯を使わなければならない。
一般的にLEDの寿命は約50,000時間なのに比べて、キャパシター群の寿命は約3,000時間から8,000時間である。結果的にLEDアレーの寿命が訪れる前にキャパシター群及び、インダクター群の寿命が訪れるので、ＬＥＤアレー自体の寿命とは関係なく、交換しなければならないという問題点がある。
【０００６】
また、安定器が多くの素子群(部品群)を使うため、安定期自体のサイズが大型化し、また、費用もかかる。無論、多くの素子群を使用するため、安定器自体の信頼度も低下する。
【０００７】
更に、PWM駆動方法は一定な大きさの直流電流をLEDアレーで継続的に提供する方式であり、LED照明灯の電力の消耗を最小化することができない。
なおLED照明灯は多数のキャパシター群とインダクター群を使うため、LEDアレーとキャパシター群又はインダクター群との間で位相差が発生する。これによりLED照明灯の力率が低くなりLED照明灯の効率が85%以上は出難いという問題点がある。
従来のLED照明灯では、このような力率問題を解決するために、更に力率補償回路を別途に具備しなければならず、その結果、安定器のサイズがさらに大きくなってしまう。
【課題を解決するための手段】
【０００８】
本考案の一実施例による照明装置は、基板、前記基板に配置される少なくとも一つの発光素子を含む発光部、前記基板に配置されて前記発光部に駆動電源を供給する電源供給部とを含むことを特徴とする照明装置を提供するものである。
【０００９】
また、本考案の他の実施例による照明装置は、基板、前記基板に配置される少なくとも一つの発光素子を含む発光部、前記基板に配置されて前記発光部に駆動電源を供給する電源供給部、前記基板、前記発光部、前記電源供給部を受容するケース及び前記ケースと結合される保護蓋を含むことを含むことを特徴とする照明装置を提供するものである。
【考案の効果】
【００１０】
本考案による照明装置の駆動部(電源供給部)は、比較的大きいキャパシターとインダクターを使わず、少ない数の素子で構成されるため、駆動部のサイズを小型、軽量化することができ、且つ製造費用を削減することが出来る。
【００１１】
また、使用する素子の数が少ないため、駆動部の信頼度を向上でき、且つ発光部と駆動部を一体型に制作することもできる。
【００１２】
また、本考案による照明装置は、一つの基板上に発光部と駆動部を配置することが出来るため、多様な形状の基板を製造することができる長所がある。
【００１３】
また、本考案で他の照明装置は多様な形状を持つことが出来るため、多様な形態を持つ既存の発光素子で駆動回路基板、及び、発光部だけを除去した後、一体型で制作された本考案による照明装置に交替することが出来る。これにより、既存の照明装置に容易に適用させることができる。
【００１４】
また、照明装置がキャパシターやインダクターを使わずに抵抗部分の部品だけを利用するため、照明装置の寿命が延長されることができる。
【００１５】
その上、照明装置がキャパシターやインダクターを使わないため、発光素子で提供される電流は電圧の位相差が発生しない。その結果、力率が改善され、照明装置の効率を向上することができる。
【００１６】
その上、発光素子で提供される駆動回路部から出力された電流が不連続であるため、照明装置の消費電力を減少できる。無論、不連続ではあるが、パルス群の間の時間差は人が発光素子のチラツキを認知できない時間の範囲で具現される。
【図面の簡単な説明】
【００１７】
【図１】は本考案の一実施例による照明装置の斜視図を図示した図面である。
【図２】は本考案の一実施例による照明装置の分解斜視図を図示した図面である。
【図３】は本考案の他の実施例による基板の形状を図示した図面である。
【図４】は本考案の他の実施例による基板の形状を図示した図面である。
【図５】は本考案の他の実施例による基板の形状を図示した図面である。
【図６】は本考案の第１実施例による電源供給部(106)の概略的な構成を図示したブロック図である。
【図７】は本考案の一実施例による電源供給部(106)の回路構成を図示した図面である。
【図８】は本考案の第２実施例による電源供給部(106)の概略的な構成を図示したブロック図である。
【図９】は上記した図８の電源供給部(106)の回路構成を図示した図面である。
【図１０】は本考案の第３実施例に拠る電源供給部(106)の概略的な構成を図示したブロック図である。
【図１１】は上記した図１０の電源供給部(106)の回路構成を図示した図面である。
【図１２】は上記した図１１の電源供給部(106)の回路構成を図示した図面である。
【考案を実施するための形態】
【００１８】
本考案は多様な変更を加えることが可能であり、様々な実施例が考えられるが、以下、特定の実施例を図示し、詳細な説明をする。しかし、これは本考案を特定の実施形態に限定するものではなく、本考案の思想、及び、技術的範囲に含まれる全ての変更、均等物ないし代替物を含むものと理解されたい。各図面を説明しながら類似な参照符号を類似な構成要素に対して使った。
ある構成要素が他の構成要素に“繋がれて”あるか“接続されて”あると言及された時には、その他の構成要素に直接的に繋がれてあるか、または、接続されてあることもあるが、中に他の構成要素が存在することもできると理解しなければならない。反面、ある構成要素が他の構成要素に“直接に繋がれて”あるか“直接に接続されて”あると言及された時には、中に他の構成要素が存在しないことと理解されないとならない。
本出願で使った用語は単に特定な実施例を説明するために使われたもので、本考案を限定しようとする意図ではない。単数の表現は文脈上明白に違う意味で使わない限り、複数の表現を含む。本出願で“含む”または“持つ”などの用語は明細書上に記載された特徴、数字、段階、動作、構成要素、部品、または、これらを組み合わせたのが存在するのを指定しようとすることであって、一つ、または、それ以上の他の特徴たちや数字、段階、動作、構成要素、部品、または、これらを組み合わせた存在、または、付加可能性をあらかじめ排除しないことと理解されないとならない。
違うように正義されない限り、技術的か科学的な用語を含んで、ここで使われる全ての用語は本考案が属する技術分野で通常の知識を持った者によって一般的に理解されるものと同一な意味を持っている。一般的に使われる辞書に定義されてあるような用語は関連技術の文脈上持つ意味と一致する意味を持つものと解析されなければならないし、本出願で明白に定義しない限り、理想的であるか過度に形式的な意味として解析されない。
以下では添付された図面たちを参照して本考案の各実施例を詳しく説明する。
【００１９】
図１は、本考案の一実施例による照明装置の斜視図を図示した図面で、図２は本考案の一実施例による照明装置の分解斜視図を図示した図面である。
図１及び、図２を参照すると、本考案の一実施例による照明装置は基板(100)と、少なくとも一つの発光素子(102)を含む発光部(104)と、電源供給部(駆動部)(106)と、電源線(108)ケース(110)と、保護蓋(112)と、ソケット(114)と、エクステンションケーブル(116)とを備える。
【００２０】
図２を参照すると、少なくとも一つの発光素子(102)と、電源供給部(106)は、一つの基板(100)に配置される。そして、電源線（108)は、電源供給部(106)に交流電源を供給する。ここで少なくとも一つの発光素子(102)は発光ダイオード(Light Emitting Diodes, LED)である。
前述したように、従来の照明装置の駆動部にある安定器は、多くの素子群(部品群)が使われており、特にサイズの大きいキャパシターないしインダクターが使われると、安定器のサイズはより大きくなる。そのため、従来の照明装置では、一つの基板上に少なくとも一つの発光素子と安定器を配置することが困難な構造となる。
これに比べ、本考案ではキャパシターないしインダクターを使用することなく、駆動部である電源供給部(106)を構成するので、駆動部のサイズを小型化することが可能であり、これによって少なくとも一つの発光素子(102)と電源供給部(106)を一つの基板(100)に配置させることができる。つまり、本考案によると発光部と駆動部を一体型で製作することが出来る。これに対しては下記でより詳細に説明する。
【００２１】
更に、図２では、基板(100)が円盤形で、電源供給部(106)が基板（100）の外周側に位置する発光素子の内側である中心部に配置されて、発光素子(102)は、円盤形の基板(100)の中心部を除いた外周側部分に配置され、少なくとも一部が電源供給部(106)と
接して相互直列で配列されている。
【００２２】
図２ではこのような実施例について説明したが、基板(100)の形状、及び、少なくとも一つの発光素子(102)と電源供給部(106)の配置形態はこれに限定されず、多様な形状、及び、配置形態を持つことができる。
【００２３】
一例として、本考案の他の実施例によると図３、及び、図４に図示されたように、基板(100)は四角形状で、電源供給部(106)は四角形状の基板(100)の側端に配置されて、発光素子(102)は四角の形状の基板(100)の前記一側端を除いた他の部分に配され、少なくとも一部が電源供給部(106)と接して相互直列に接続することもできる。無論、基板(100)が四角の形状を持つ場合にも、図２で説明したように電源供給部(106)を基板(100)の中央部に配置し、発光素子(102)を四角形状の基板(100)の中央部を除いた残りの部分に配し、少なくとも一部が電源供給部(106)と接して相互直列に接続することができる。
【００２４】
また、本考案の他の実施例によると、図５に図示されたように基板(100)は三角形状で、電源供給部(106)は三角形状の基板(100)の一辺側部分に配置されて、発光素子(102)は三角形状の基板(100)の一辺側部分を除いた他の部分に配され、少なくとも一部が電源供給部(106)と接して相互直列で接続されている。無論、基板(100)が、三角形状を持つ場合にも図２で説明したように、電源供給部(106)を基板(100)の中央部に配置し、発光素子(102)を三角形状の基板(100)の中央部を除いた他の部分に配し、少なくとも一部が電源供給部(106)と接して相互直列に接続することができる。
【００２５】
つまり、本考案によると、一つの基板に発光部と駆動部を全部配置させることができるため、基板を多様な形状で製造することができる。つまり、基板(100)は円盤形、または多角形状とすることが可能であり、電源供給部（106)は基板の中央部、または周辺部に配置することができ、発光素子(102)は電源供給部(106)が配置された基板(100)の部分を除いた他の部分に配し、少なくとも一部が電源供給部(106)と接して、相互直列に接続することができる。
【００２６】
ケース(110)は基板(100)発光部(104)及び、電源供給部(106)を収容して、保護蓋(112)はケース(110)の上部と結合する。つまり、ケース(110)及び、保護蓋(112)は発光部(104)及び、電源供給部(106)が配置された基板(100)を外部から保護する機能を有する。
図１、及び、図２ではケース(110)及び、保護蓋(112)が円筒形のもので図示したが、本考案はこれに限定されず、ケース(110)及び、保護蓋(112)を多角形筒体とすることも可能である。
【００２７】
また、ソケット(114)は電源線(108)と繋がれて発光部（104）を駆動させるため、交流電源を外部から導入し、電源供給部(106)に供給する。そして、エクステンションケーブル(116)は電源線(108)を保護して、ソケット(114)と電源供給部(106)を連結する。ここで、ソケット（114)は一般的に使われる従来の照明装置のソケットと同一な形状でもよい。
【００２８】
一方、本考案は、他の実施例によると、発光部(104)及び、電源供給部(106)が配置された基板(100)は、前述したように、多様な形状で製造することが出来るため、既存の照明装置の駆動回路基板と同様な形状とすることで、既存の照明装置の基板等と入れ替えることが可能であり、既存の照明装置にも、容易に適用することができる。
この場合、２つ以上の照明装置が組み合されて使われることもできる。
【００２９】
一例として、既存の照明装置の形状が長方形状ならば、内部の駆動回路基板、及び、発光部を除去した後、図６の(a)に図示されたように多数の正四角形状の基板を一列に配置することで既存の照明装置の外形を活用しながら本考案による照明装置を使うことができる。
【００３０】
他の一例として、既存の照明装置の形状が五角形状をならば、内部の駆動回路基板、及び、発光部を除去した後、図６の(b)に図示されたように、正四角形状の基板と三角形状の基板を配置することで、既存の照明装置の外型を活用しながら本考案による照明装置を使うことができる。
【００３１】
以下では、図７、乃至、図１２を参照して、本考案の一実施例による電源供給部(106)の構成をより詳細に説明する事にする
【００３２】
図７は、本考案の第１実施例による電源供給部(106)の概略的な構成を図示したブロック図である。
図７を参照すると、本実施例の電源供給部(116)は、整流回路部(700)及び、駆動回路部(702)を含む。
【００３３】
整流回路部(700)は、発光素子の入力端に配置されて、外部から入力された交流電源(AC)、たとえば、ソケット(114)を通じて入力される。
110V、または220Vの交流電源を半波整流、または、全波整流して直流(DC)を発生させる。
但し、発光素子が照明灯として機能するためには、使用者が発光素子が継続的に光を発散していると認知しなければならないため、整流回路部(700)は図７に図示されたように、入力された交流電源を全波整流することが望ましい。
発光素子としてLEDアレーを使う場合、特定電圧以上の電圧が供給されるとLEDがターンオン(Turn-on)されるので、整流回路部(700)から出力される電流は図７に図示されたようなパルス波形を持つ。つまり、整流回路部(700)は入力された交流電源を全波整流して図７に図示されたように電圧波形、及び、電流波形を発生させる。
【００３４】
駆動回路部(702)は、発光部(104)と電気的に繋がれて、望ましくは発光部(104)に含まれたLEDの陰極段に繋がれて、整流回路部(700)の一段目に繋がれる。結果的に整流回路部(700)から出力された電流は発光部(104)及び、駆動回路部(702)を流れた後、整流回路部(700)に再び入力される。
このような駆動回路部(702)は発光部(104)に整流電流が流れるように制御し、駆動回路部(702)から出力される電圧、及び、電流は図７に図示されたようなパルス波形を表す。
【００３５】
電流波形は、パルス群の間に所定の時間差(△t)が存在する。ここで、時間差(△t,試験結果4&#13235;)は人間が発光素子のチラツキを認知できる最小時間(14&#13235;)より小さく設定されている。その結果、電流が不連続的にも関わらず、人間は発光素子が光を継続的に発散していると認知する。
要するに、本実施例の照明装置では発光部(104)に入力される電流が不連続的な整流電流であり、後述するようなPWM制御方法は使用しない。
【００３６】
以下、本考案の照明装置の回路構成を添付された図面を参照して詳述する。
図８は、本考案の一実施例による電源供給部(106)の回路構成を図示した図面である。
整流回路部(700)は前述したように、入力された交流電流を半波整流、または全波整流する回路であり、例えば、図８に図示されたように全波整流を具現するため、4個のダイオード群(D1ないしD4)で成り立つ。ここで、ダイオード群(D1、及び、D2)の間のノードが、交流電源部の一端子に接続され、ダイオード群(D3、及び、D4)の間のノードが交流電源部の他端子に接続される。つまり、整流回路部(700)は、ブリッジ回路(Bridge Circuit)で具現される。
発光部(104)は、例えば複数のLEDアレーで構成されており、LEDアレーは、図８に図示されたように相互直列で接続される。従って整流回路部(700)から出力された電流が、LEDアレーを通じて流れ、その結果、LEDアレーが特定波長の光を出力する。
【００３７】
駆動回路部(702)は、整流電流部(800)、駆動回路動作制御部(802)及び、温度補償部(R1)を含む。
整流電流部(800)は、発光部(104)の出力段に繋がれて発光部(104)に整流電流が流れるように制御する。例えば、少なくとも一つの整流電流ダイオードで構成することができる。
たとえば、整流電流部（800)は相互直列で繋がれた２つの整流電流ダイオード群(D5、及び、D6)で構成された第１サーブ整流電流部(810)及び、相互直列で繋がれた２つの整流電流ダイオード群(D7、及び、D8)で構成された第２サーブ整流電流部(812)を含むことができる。
【００３８】
上記のように、サーブ整流電流部(810 及び
812)内の整流電流ダイオード群を相互直列で連結することは内部電圧に耐えるようにするためである。詳細には、110Vの交流電源が発光素子に供給されて、各発光素子にそれぞれ3Vの電圧がかかると仮定すれば、各発光素子全体に102Vがかかればトランジスター(TR)のベースとコレクターの間に8Vがかかることができる。つまり、トランジスターの(TR)ベースとコレクターの間の電圧(VBC、内部電圧)は８Ｖになる。ここで、トランジスター（TR）のベースとコレクターの間には、サーブ整流電流部（810及び812）の整流電流ダイオード群（D5、及び、D6、D7、及び、D8）が繋がれてあるから整流電流ダイオード群（D5、乃至D8）が8Vを耐えることが出来なければならない。従って、使用者は内部電圧を考慮して整流電流ダイオードの数を決定する必要がある。つまり、使用者は入力交流電圧、及び、発光素子の数を考慮して整流電流ダイオードの数を決定する。
各サーブ整流電流部(810、及び、812)の並列関係を見ると、第１サーブ整流電流部（810)内の整流電流ダイオード（D5、及び、D6)と第２サーブ整流電流部(812)内の整流電流ダイオード(D7、及び、D8)は相互並列でつながれている。これは、発光部(104)に流れる電流の大きさを精密に調整するためである。
【００３９】
つまり、整流電流部(800)の整流電流ダイオードの数、及び、配列方法は内部電圧、及び、電流の大きさの調整を考慮して決定する。
上述したように、各サーブ整流電流部(810、及び、812)は、同一な数の整流電流ダイオードを含む構成としたが、互いに異なる数の整流電流ダイオードを含む構成とすることも出来る。また、整流電流部(800)が、２つのサーブ整流電流部（810、及び、812)だけを含む構成と図示したが、一つのサーブ整流電流部だけを含む構成とすることも可能であり、３個以上のサーブ整流電流部を含む構成とすることもできる。
更に、整流電流部(800)に使われる整流電流ダイオードの中、少なくとも一つは他のダイオードと異なる特性を持つ構成とすることも可能である。
例えば、温度補償部は、抵抗を（R1)を含んで、整流電流ダイオード(D5ないしD8)の温度を償う役目を遂行する。
【００４０】
駆動回路、動作制御部(802)は、トランジスター(TR)及び、複数の抵抗で構成される。例えば、２つの抵抗(R2、及び、R3)で構成される。
トランジスター(TR)は、例えば、増幅用NPNトランジスターでは、多くの熱を発生させる。トランジスター(TR)に接した整流電流ダイオードは熱に敏感なので、トランジスター(TR)は後述するように整流電流ダイオードから所定距離以上、隔離するように配列する。
【００４１】
トランジスター(TR)の連結関係は、トランジスター(TR)のコレクター(Collector)は発光部(104)の最後の発光素子の陰極端に接続され、ベース(Base)は、サーブ整流電流部(810、及び、812)に繋がれる。
抵抗(R2)はトランジスター(TR)のベースに繋がれて、抵抗(R3)はトランジスター(TR)エミッタ(Emitter)に繋がれる。
各抵抗(R2、及び、R3)は発光部(104)を通じて流れる電流の大きさを制御する。
つまり、PWM方式で、整流電流を発生させる従来のLED照明灯とは異なり、本実施例の照明装置は、整流電流部(800)及び、駆動回路動作制御部(802)を利用して整流電流を制御する。
【００４２】
ここで、整流電流部(800)は整流電流を発生させる一つの整流電流ダイオードで制限されることはないが、内部電圧、及び、整流電流の制御を考慮すると、整流電流ダイオードで成り立つ構成とするのが望ましい。
【００４３】
図９は、本考案の第２実施例による電源供給部(106)の概略的な構成を図示したブロック図である。
【００４４】
図１０は、上記した図９の電源供給部(106)の回路構成を図示した図面である。
図９、及び、図１０を参照すると、本実施例の電源供給部(106)は整流回路部(900)及び、駆動回路部(902)を含む。
【００４５】
駆動回路部(902)は、整流回路部(900)に接続されて、整流回路部(900)から供給された電圧で整流電流を出力し、整流電流を発光部(104)に供給する。
【００４６】
本実施例では、第１実施例とは異なり、駆動回路部(902)が整流回路部(900) 及び、発光部(104)の間に位置するが、動作は第１実施例でと類似である。つまり、第２実施例ではトランジスター(TR)が発光素子群の前段に位置する反面、第１実施例ではトランジスター(TR)が発光素子群の後段に接続されており、実際的な動作は上記した第１実施例と類似である。
より詳細に説明すると、整流回路部(900)は、交流電源部から入力される交流電流を整流(望ましくは全波整流)して、第１電流を出力する。駆動回路部(902)は、第１電流を増幅された整流電流により変化させ、第２電流を出力する。従って第２電流は第１電流よりも大きい電流になる。
つまり、駆動回路部(902)内の整流電流部(1000)は、第１電流を整流電流で変化させ、駆動回路動作制御部(1002)は、第１電流を増幅し、第２電流とする。
第２電流は、交流入力周波数の２倍数の周期でパルス形態で具現され、パルス群の間の時間差は人が発光素子のチラツキを認知することの出来る時間より小さい値とする。
このため、整流電流部(1000)に含まれる整流電流ダイオードは、駆動回路動作制御部(1002)に含まれたトランジスターのベース、及び、コレクターに接続され、トランジスターと接続された抵抗(R3)は、トランジスターのエミッタに繋がれ、他の抵抗(R2)はトランジスタのベース及び、整流電流ダイオードと接続される。
このような構造を持つ駆動回路動作制御部(1004)の増幅率(G)は下記数学式１で表されるで。
[数1]
【００４７】
0003188404.tif 000003
ここで、βはトランジスター(TR)の増幅率を意味する。
つまり、駆動回路動作制御部(1002)は、整流電流部(1000)で入力される小電流を増幅率(G)をもって増幅させて、増幅による電流を出力させる。
整流電流部（1000)と駆動回路動作制御部(1002)を全体的に考慮すると、駆動回路動作制御部(1002)から出力される電流は、整流電流部(1000)の整流電流ダイオード群と駆動回路動作制御部(1002)の抵抗群(R2、及び、R3)に影響される。
従って使用者は整流電流ダイオード群と抵抗群(R2、及び、R3)を適切に設定して求める電流を発生させることが出来る。
一般的に発光素子アレーの数が多くなると、発光素子アレーに供給される電流も大きくしなければならない。
従って使用者は、発光素子アレーの数、及び、輝度の大きさを考慮して、整流電流ダイオード群、及び、抵抗群の数や配列を設定する。無論、整流電流ダイオード群だけを使って電流を制御することも可能であるが、整流電流ダイオード群だけを使うと駆動回路が複雑になる。従って、整流電流ダイオード群と抵抗群を共に使用し、電流を制御することが望ましい。
つまり、PWM方式で整流電流を発生させる従来のLED照明灯とは異なり、本実施例の照明装置は、整流電流部(1000)及び、駆動回路動作制御部(1004)を使用して整流電流を発生させる。ここで、整流電流部(1000)は整流電流を発生させる。一つの整流電流ダイオードで制限されることはないが、内部電圧、及び、整流電流の制御を考慮すると、整流電流ダイオードで構成するのが望ましい。
【００４８】
図11は本考案の第３実施例による電源供給部(106)の概略的な構成を図示したブロック図で、図１２は上記した図１１の電源供給部(106)の回路構成を図示した図面である。
図11、及び、図12を参照すると、本実施例の電源供給部(106)は第１整流回路部(1100)、駆動回路部(1102)及び、第２整流回路部(1104)を含む。
ここで、交流電源部の一端子は第１整流回路部(1102)に接続され、AC電源部の他端子は第２整流回路部(1104)に接続される。
各整流回路部(1100、及び、1104)の構成は、第１整流回路部(1100)は図１２に図示されたようにダイオード群(D1、乃至、D4)で具現され、第２整流回路部(1104)は、ダイオード群(D5、乃至、D8)で具現される。そして、駆動回路部(1102)は前述したように、同一に具現されることが出来る。但し、交流電源部の一段目は、第１整流回路部(1100)の中、ダイオード群(D1、及び、D2)の間のノードに接続されて、交流電源部の他段は第２整流回路部(1104)の中、ダイオード群(D7、及び、D8)の間のノードに接続される。結果的に、各整流回路部(1100、及び、1104)は、一つのブリッジ回路として動作する。
【００４９】
以下、本考案の照明装置と従来のLED照明灯を比較する。
1. サイズ、信頼度、及び、値段
従来のLED照明灯はLEDアレーを駆動させるために、整流回路、ノイズフィルター(noise filter)及び、PWM制御部で成り立った安定器を使う。
ここで、PWM制御部は、パルス群の幅を可変させてLEDアレーに提供する電流を一定に維持させ、PWM制御を行うため、多くの内部素子を使って、特に比較的に大きいサイズをもつ、多数のキャパシター、及び、インダクターを使用する。
従来のPWM制御部を利用する安定器は、サイズが比較的に大きく、これによって安定器と発光素子群を一つの基板に配置することが出来ないという問題点があった。更に、従来のLED照明灯の安定器はPWM制御部を構成するため、多くの内部素子群を使用する。  このため、製造費用が高く、また、安定器の信頼度は低い。また、PWM駆動方法は相当なノイズを発生する。
一方、本考案は、整流回路部(700)と駆動回路部(702)を含む駆動部が、少ない数の内部素子群を使うため、駆動部のサイズが従来の安定器に比べて相当小さくなる。
これによって、本考案では発光部(104)と駆動部である電源供給部を(106)一つの基板(100)に配置する構成が可能となる。また、これによって照明装置の全体的な大きさを縮小させることが出来る。
また、駆動部は少ない数の内部素子群で構成されているので、駆動部の政策費用を減少し、信頼度も向上する。
その上、照明装置は、抵抗だけを利用して電流(i2)を出力するため、ノイズが殆ど発生しない。
【００５０】
2. 寿命
一般的にキャパシター群、及び、インダクター群の寿命(約3、000時間、乃至、8、000時間)はLEDの寿命(約50、000時間)と比べて相当短い。それにもかかわらず、LED照明灯が一体型で具現されるため、キャパシター群、及び、インダクター群の寿命が終訪れた場合、LEDアレーは、より長く使えるにもかかわらず、LED照明灯を新しいLED照明灯で交替しなければならない。
本考案の照明装置は、寿命の短いキャパシター群、及び、インダクター群を使用せず、LED以上の寿命を持つトランジスター(TR)、整流電流ダイオード群、及び、抵抗群を使用する。
結果的に照明装置の寿命が従来のLED照明灯と比べて非常に長くなる。
【００５１】
3.電流制御方法
従来のLED照明灯はPWM制御方式を使用し、LEDアレーに供給される電流の大きさをLEDアレーが発光することができる最小の大きさ以上で維持させる。つまり、従来のLED照明灯では電源がオンになっている間にはLEDアレーが継続的に発光状態を維持する。結果的にLED照明灯の電力消費が増加する。
本考案の照明装置では、図7に図示されたように、発光素子アレーに供給される電流(i2)が連続的でなく、不連続的である。但し、パルス群の間の時間差(△t)を小さくして、人間が発光素子のチラツキを認知することが出来ない間隔とする。
結果的に照明装置は照明灯として機能しながらも電力消耗を減少させることが可能である。
他の側面として、発光素子アレーに供給される電流(i2)の大きさを、従来LED 照明灯の電流の大きさより大きくして、素子の輝度をLED照明灯の輝度より高くすることが可能である。この場合の照明装置の消費電力は、従来のLED照明灯の電力消耗と同様である。
【００５２】
4. 力率
従来のLED照明灯は、多数のキャパシター群とインダクター群を使うため、LEDアレーに供給される電流と電圧の間に位相差が発生する。
そのため、従来のＬＥＤ照明灯は、ＬＥＤの力率が低く、LED照明灯の効率を85%以上具現することは難しい。従って従来のLED照明灯は、力率補償回路を別途に具備しなければならなかた。
一方、本考案の照明装置は、キャパシター、及び、インダクターを使用せずに、抵抗だけを利用するため、発光素子アレーに供給される電流と電圧の位相差は発生せず、理論上、力率は１である。
結果的に、本考案の発光装置の力率は、相当高く、多様な規格の照明灯に使用可能である。また、本考案の照明装置は優秀な力率であるため、従来のLED照明灯とは異なり、別途の力率補償回路を必要としない。
【００５３】
以上のように、本考案では、具体的な構成要素がどのような特定事項であるか、各実施例、及び、図面に基づき説明したが、本考案は上記実施例に限定されることはなく、種々の変形が可能であり、本考案が属する分野の通常の知識を有する者であれば、このような実施例から多様な修正、及び、変形が可能である範囲まで及ぶことを注意的に記載する。
【図１】
0003188404.tif 000004
【図２】
0003188404.tif 000005
【図３】
0003188404.tif 000006
【図４】
0003188404.tif 000007
【図５】
0003188404.tif 000008
【図６】
0003188404.tif 000009
【図７】
0003188404.tif 000010
【図８】
0003188404.tif 000011
【図９】
0003188404.tif 000012
【図１０】
0003188404.tif 000013
【図１１】
0003188404.tif 000014
【図１２】
0003188404.tif 000015